(57)【要約】【課題】テレビ電話時に通話相手に被写体が忠実に見えているかどうか確認することができるとともに、テレビ電話を行う前に被写体の状態を確認することができるようにする。【解決手段】表示部５０を鏡化可能な光反射パネル１２を設け、テレビ電話時に切替スイッチ１７により光反射パネル１２をオン／オフさせる。また、テレビ電話の接続が完了するまでの所定時間中に表示部５０を鏡化するように光反射パネル１２を制御する。【選択図】図１
2007081592.tif 000002
【特許請求の範囲】
【請求項１】
撮影手段と該撮影手段が撮影した映像を表示する表示手段とを備え、テレビ電話を行うことが可能な携帯電話機であって、
前記表示手段を鏡化可能な鏡化手段と、
前記テレビ電話時に前記鏡化手段をオン／オフさせる切替手段と、
を備えたことを特徴とする携帯電話機。
【請求項２】
撮影手段と該撮影手段が撮影した映像を表示する表示手段とを備え、テレビ電話を行うことが可能な携帯電話機であって、
前記表示手段を鏡化可能な鏡化手段と、
前記テレビ電話の接続が完了するまでの所定時間中に前記表示手段を鏡化するように前記鏡化手段を制御する制御手段と、
を備えたことを特徴とする携帯電話機。
【発明の詳細な説明】
【技術分野】
【０００１】
本発明は、テレビ電話を行うことが可能な携帯電話機に関する。
【背景技術】
【０００２】
今日、テレビ電話を行うことが可能な携帯電話機が普及しつつある。テレビ電話とは、音声の双方向通信に加えて、自己の携帯電話機に設けられたカメラで撮影された映像が通話相手の携帯電話機の表示画面に表示されるとともに、通話相手の携帯電話機に設けられたカメラで撮影された映像が自己の携帯電話機の表示画面に表示されるものを指す。
【０００３】
特許文献１には、テレビ電話時に自己の携帯電話機の表示画面に、通話相手側から送信されてきた映像を大きく、自己の携帯電話機のカメラが撮影した映像を小さく、同時に表示する２画面方式のテレビ電話装置が開示されている。
【０００４】
【特許文献１】特開２００５−１９１７６０号公報
【発明の開示】
【発明が解決しようとする課題】
【０００５】
しかしながら、実際に商品化されている携帯電話機においては、同じ携帯電話機に設けられた写真撮影用のカメラの画素数が１００万画素レベルであるのに対して、テレビ電話において自分側の映像を撮影するカメラの画素数が１１万画素程度とスペック的に劣るようにされているため、自分側の映像の解像度が低く、画質が荒くなる傾向にある。よって、テレビ電話時に、自己の携帯電話機の表示画面に表示される解像度の低い自分側の映像と、実際の被写体との間にギャップが生じる場合があるが、このギャップを認識することができないため、通話相手に被写体が忠実に見えているかどうか確認することができない。
【０００６】
また、テレビ電話による通話が開始されるまでは、自分側の映像が自己の携帯電話機の表示画面に表示されないため、テレビ電話を行う前に被写体の状態を確認することができない。
【０００７】
本発明の目的は、テレビ電話時に通話相手に被写体が忠実に見えているかどうか確認することが可能であるとともに、テレビ電話を行う前に被写体の状態を確認することが可能な携帯電話機を提供することである。
【課題を解決するための手段及び効果】
【０００８】
本発明の携帯電話機は、撮影手段と該撮影手段が撮影した映像を表示する表示手段とを備え、テレビ電話を行うことが可能な携帯電話機であって、前記表示手段を鏡化可能な鏡化手段と、前記テレビ電話時に前記鏡化手段をオン／オフさせる切替手段と、を備えたことを特徴とする。
【０００９】
上記の構成によると、テレビ電話時に使用者は、撮影手段が撮影した自分側の映像、例えば自分の顔を表示手段で確認する一方、切替手段を操作して鏡化手段をオンにし、鏡化した表示手段に映った被写体、例えば自分の顔を確認して両者を比較することで、撮影手段が撮影した自分側の映像と実際の被写体とのギャップを認識することができる。これにより、テレビ電話時に通話相手に被写体が忠実に見えているかどうかを確認することができる。
【００１０】
また、本発明の携帯電話機は、撮影手段と該撮影手段が撮影した映像を表示する表示手段とを備え、テレビ電話を行うことが可能な携帯電話機であって、前記表示手段を鏡化可能な鏡化手段と、前記テレビ電話の接続が完了するまでの所定時間中に前記表示手段を鏡化するように前記鏡化手段を制御する制御手段と、を備えたことを特徴とする。
【００１１】
上記の構成によると、テレビ電話の接続が完了するまでの所定時間中に表示手段が鏡化されるため、使用者はテレビ電話を行う前に鏡化された表示手段を用いて被写体の状態、例えば自分の身だしなみ等を確認することができる。
【発明を実施するための最良の形態】
【００１２】
以下、図面を参照しつつ、本発明に係る携帯電話機の実施の形態について説明する。図１は携帯電話機の外観を示す図であり、（ａ）は正面図、（ｂ）は背面図である。また、図２は携帯電話機の電気的構成を示すブロック図である。
【００１３】
（携帯電話機１００の機械的構成）
図１（ａ）、（ｂ）に示すように、携帯電話機１００は、下部筐体２０と上部筐体２１とアンテナ１とを備える。下部筐体２０には、複数の操作キーからなる操作キー部４、マイク９、切替スイッチ１７が設けられている。上部筐体２１の正面側には、表示部５０、レシーバ８、サブカメラ５が設けられており、上部筐体２１の背面側には、スピーカ７、メインカメラ３５、サブ液晶パネル３０が設けられている。携帯電話機１００は折り畳み式であり、下部筐体２０と上部筐体２１とは開閉自在に構成されている。
【００１４】
アンテナ１は電波の受信及び送信を行う。操作キー部４は、電話番号やメールメッセージの入力、メールモードやカメラモード等への切替、電話やテレビ電話の通話の応答及び切断といった携帯電話機１００の各種操作を行うために用いられる。メインカメラ３５は、カメラモードにおけるデジタル画像撮影時に使用される。スピーカ７は着信音やカメラのシャッター音等の効果音を出力する。レシーバ８及びマイク９は電話やテレビ電話の通話時に使用される。撮影手段としてのサブカメラ５は、主にテレビ電話を行うときに使用され、携帯電話機１００の使用者側の映像を撮影する。切替手段としての切替スイッチ１７は、後述の光反射パネル１２を透過状態と鏡化状態との間で切替えるために使用される。なお、説明を簡単にするために、カメラモード時にはメインカメラ３５が使用され、テレビ電話時にはサブカメラ５が使用されるものとする。
【００１５】
表示手段としての表示部５０はメイン液晶パネル１０と、メイン液晶パネル１０上に設けられた光反射パネル１２とで構成される。メイン液晶パネル１０は、図１（ａ）のように下部筐体２０と上部筐体２１とが開かれた状態のときにオン状態にされ、発信先や着信先の電話番号の表示、メールメッセージの表示、時計やカレンダの表示、電話帳の表示、発着信履歴の表示、カメラモード時にメインカメラ３５が撮影した画像の表示、テレビ電話時における通話相手側の映像及び自分側の映像の表示等、携帯電話機１００の動作に係る各種表示に使用される。
【００１６】
鏡化手段としての光反射パネル１２は、詳しくは後述するが、通常時は電圧が印加されずにオフ状態にされて、メイン液晶パネル１０からの光を透過させる透過状態にされている。そして、後述の鏡化限定モードにおいて、テレビ電話時に上述した切替スイッチ１７が操作されたとき、又は、テレビ電話の呼び出し中に所定時間が経過するまでの間、電圧が印加されてオン状態になり、メイン液晶パネル１０からの光を遮断する一方、外部からの光を反射する鏡化状態になる。光反射パネル１２が鏡化状態になると、表示部５０を鏡として使用することが可能となる。なお、本実施の形態において、テレビ電話の呼び出し中の所定時間は５秒に設定されている。
【００１７】
図１（ａ）には、テレビ電話を行っているときの表示部５０が図示されている。メイン液晶パネル１０には、通話相手の携帯電話機から送信される通話相手側の映像を表示する相手表示部５１と、サブカメラ５により撮影された使用者側の映像を表示する自己表示部５２とが表示される。また、図示した光反射パネル１２は、メイン液晶パネル１０からの光を透過させる透過状態になっている。使用者は、自己表示部５２に表示された自分側の映像を見ることで、通話相手側の携帯電話機等に映っている自分側の映像を確認することができる。
【００１８】
なお、後述の鏡化限定モードにおいて、テレビ電話時に切替スイッチ１７が操作される等されて、光反射パネル１２が鏡化状態にされると、メイン液晶パネル１０に表示された相手表示部５１及び自己表示部５２は見えなくなり、表示部５０は外光を反射する鏡となる。使用者は、鏡と化した表示部５０を見ることで、実際の被写体をアナログ的に確認することができる。
【００１９】
サブ液晶パネル３０は、下部筐体２０と上部筐体２１とが閉じられた状態のときにオン状態にされ、発信先や着信先の電話番号の表示、メール着信の表示、時計やカレンダの表示、カメラモード時にメインカメラ３５が撮影した画像の表示等、携帯電話機１００の動作に係る各種表示に使用される。
【００２０】
（携帯電話機１００の電気的構成）
図２を用いて、携帯電話機１００の電気的構成について説明する。なお、すでに説明した構成要素についての説明は省略する。アンテナ共用部２は、図示しない送信用のフィルタと受信用のフィルタを備え、１本のアンテナ１で送信と受信の同時使用を可能とするものである。送受信部３は、送信データを所定の変調方式で変調して送信用の無線信号を生成するとともに、受信した無線信号を復調して受信データを取り出すもので、送受信用の無線通信回路を有して構成される。操作キー部４は、携帯電話機１００を操作するための複数のキーを有し、操作されたキーに対してキーコードを生成し出力するようになっている。
【００２１】
制御手段としての制御部１５は、メモリ１４のＲＡＭをワーキングメモリとして使用しながら、メモリ１４のＲＯＭに記憶された後述する表示部切替ルーチンや呼び出し時鏡化ルーチン等のプログラムに従って装置各部を制御するＣＰＵを備える。
【００２２】
制御部１５は、携帯電話機１００を様々な設定状態に設定変更することが可能である。制御部１５が設定変更可能な対象として、メイン液晶パネル１０やサブ液晶パネル３０に表示される表示画面のレイアウト等を挙げることができるが、本実施の形態においては、光反射パネル１２の２つの状態（透過状態と鏡化状態）の切替えが含まれる。即ち、本実施の形態の制御部１５は、使用者の任意のタイミングで透過状態の光反射パネル１２を鏡化状態に切替えることが可能な設定状態（鏡化フリーモードという）と、テレビ電話を行うときにのみ透過状態の光反射パネル１２を鏡化状態に切替えることが可能な設定状態（鏡化限定モードという）とに、設定状態を変更することができるようにされている。これらの設定変更は、メイン液晶パネル１０に表示された画面に従って操作キー部４を操作することにより行われる。
【００２３】
鏡化フリーモードにおいては、下部筐体２０と上部筐体２１とが開かれた状態であれば、切替スイッチ１７が操作されることにより、通話中、メール中、デジタル画像撮影中等、携帯電話機１００の現在の状態に関わらず、使用者の任意のタイミングで透過状態の光反射パネル１２が鏡化状態に切替わる。即ち、テレビ電話を行っている最中であっても、表示部５０を鏡化することができる。これにより、使用者は、メイク直しなど自分の顔を見たいときや、身だしなみを確認したいとき等に、いつでも光反射パネル１２を鏡化状態にして、表示部５０を鏡として使用することができる。また、使用者は鏡化した表示部５０を用いて後方確認を行うことにより、自分の後方から襲ってくる痴漢や暴漢等に対して注意を払うことができる。表示部５０の鏡化は、切替スイッチ１７を押している間中行われる構成であっても、切替スイッチ１７を押してから所定時間が経過するまでの間中行われる構成であっても、次に切替スイッチ１７が押されるまで継続される構成であってもよい。
【００２４】
一方、鏡化限定モードにおいては、制御部１５は、テレビ電話の呼び出し中に所定時間（５秒）が経過するまでの間、光反射パネル１２を鏡化状態にする制御を行う。また、テレビ電話時に切替スイッチ１７が操作されることで、透過状態の光反射パネル１２が鏡化状態に切替わる。以降、本実施の形態においては、鏡化限定モードに設定されているものとして説明を行う。
【００２５】
光反射パネル制御部１３は、制御部１５から入力されるコマンドに従って、光反射パネル１２を制御する。即ち、光反射パネル１２に電圧を印加することにより、光反射パネル１２を鏡化状態にし、光反射パネル１２に電圧を印加しないことにより、光反射パネル１２を透過状態にする。
【００２６】
フリップセンサ１４は、使用者が携帯電話機１００の上部筐体２１と下部筐体２０とを開いているか否かを検出し、検出信号を制御部１５に送出する。この検出信号により、上部筐体２１と下部筐体２０とが開いていると判断された場合には、メイン液晶パネル１０が表示制御部１１により駆動され、上部筐体２１と下部筐体２０とが閉じていると判断された場合には、サブ液晶パネル３０が表示制御部１１により駆動される。なお、メイン液晶パネル１０とサブ液晶パネル３０とを液晶パネル１０，３０として図示している。
【００２７】
カメラ制御部６は、カメラモード時にはメインカメラ３５を制御し、テレビ電話時にはサブカメラ５を制御する。なお、メインカメラ３５とサブカメラ５とをカメラ５，３５として図示している。
【００２８】
（光反射パネル１２の構造）
次に、上記の光反射パネル１２について図３を用いて説明する。図３は光反射パネル１２の構造を示す説明図である。この図において、（ａ）は光反射パネル１２に電圧が印加されていない透過状態を、（ｂ）は光反射パネル１２に電圧が印加された鏡化状態をそれぞれ示している。光反射パネル１２は、透明電極が形成された２枚の透明パネルの間に液晶を封入した液晶パネル４０と、液晶パネル４０の表面側（図中上側）に配置される偏光板４１と、液晶パネル４０の裏面側（図中下側）に配置される反射型偏光板４２とを有している。この光反射パネル１２は、光反射パネル１２よりも装置内部側（図中下側）に配設されたメイン液晶パネル１０に対して、反射型偏光板４２側を向けて配置される。
【００２９】
光反射パネル１２は、液晶パネル４０に印加する電圧の値の大きさに応じて、液晶パネル４０内に封入された液晶の配向が変化し、偏光板４１及び反射型偏光板４２との関係で開口が変化する。液晶パネル４０に電圧を印加しないときには、最大の開口となって、外部光及びメイン液晶パネル１０側から放出される表示用の光が略完全に透過する（透過状態）。この場合は通常通りにメイン液晶パネル１０上の表示を視認可能である。なお、液晶パネル４０に液晶の配向が変化しない程度の電圧（閾値以下の電圧）が印加されていてもよい。
【００３０】
一方、液晶パネル４０に閾値以上の電圧（液晶の配向が十分に変化する電圧）を印加したときには、開口が最小となって、メイン液晶パネル１０側から放出される表示用の光は遮断され、外部光は反射する（鏡化状態）。この場合は、光反射パネル１２はほぼ鏡面状となって鏡として機能する。なお、光反射パネル１２が鏡化状態になっている間、メイン液晶パネル１０及び図示しないバックライトへの電源供給を停止する構成であってもよい。この場合には、光反射パネル１２の鏡化状態時に省電力化を図ることができる。
【００３１】
（携帯電話機１００の動作）
次に、上記の構成における携帯電話機１００の動作について図４及び図５を用いて説明する。
【００３２】
（携帯電話機１００の動作：表示部切替ルーチン）
まず、図４を用いて、制御部１５のＣＰＵで実行される表示部切替ルーチンについて説明する。上述した鏡化限定モードにおいて、表示部切替ルーチンが実行されると、まず、テレビ電話が開始されたか否かが判定される（Ａ１）。そして、テレビ電話が開始されなければ（Ａ１，ＮＯ）、Ａ１が再実行される。一方、テレビ電話が開始されると（Ａ１，ＹＥＳ）、メイン液晶パネル１０に相手表示部５１及び自己表示部５２が表示される。このとき、光反射パネル１２は透過状態に設定されている。使用者は自己表示部５２を見ることで、自分側の映像を確認することができる。そして、切替スイッチ１７が操作されたか否かが判定され（Ａ２）、切替スイッチ１７が操作されれば（Ａ２，ＹＥＳ）、光反射パネル１２が透過状態か否かが判定される（Ａ３）。光反射パネル１２が透過状態であれば（Ａ３，ＹＥＳ）、光反射パネル１２が鏡化状態に切替えられる（Ａ４）。使用者は鏡と化した表示部５０を見ることで、被写体の状態を確認することができる。そして、使用者はサブカメラ５が撮影した自分側の映像と実際の被写体とのギャップを認識することができる。
【００３３】
ここで、例えば、使用者の健康が良いにも関わらず、自己表示部５２に表示された自分の顔色が悪いときに、表示部５０を鏡にして実際の自分の顔を被写体として確認することで、周囲の光量が原因で自分の顔色が悪く見えている、即ち、自分の顔が通話相手に忠実に見えていないことを認識することができる。
【００３４】
一方、光反射パネル１２が透過状態でなければ（Ａ３，ＮＯ）、光反射パネル１２が鏡化状態であるため、光反射パネル１２が透過状態に切替えられる（Ａ５）。Ａ４又はＡ５の処理が行われた後、又は、Ａ２の処理において切替スイッチ１７が操作されなければ（Ａ２，ＮＯ）、テレビ電話が終了されたか否かが判定される（Ａ６）。そして、テレビ電話が終了されなければ（Ａ６，ＮＯ）、Ａ２から再実行される。一方、テレビ電話が終了されると（Ａ６，ＹＥＳ）、Ａ１から再実行される。
【００３５】
（携帯電話機１００の動作：呼び出し時鏡化ルーチン）
また、制御部１５のＣＰＵにおいては、図５に示す呼び出し時鏡化ルーチンが並行して実行されている。上述した鏡化限定モードにおいて、呼び出し時鏡化ルーチンが実行されると、まず、テレビ電話の呼び出し中であるか否かが判定される（Ｂ１）。テレビ電話の呼び出し中でなければ（Ｂ１，ＮＯ）、Ｂ１から再実行される。一方、テレビ電話の呼び出し中であれば（Ｂ１，ＹＥＳ）、光反射パネル１２が鏡化状態に設定される（Ｂ２）。これにより、使用者はテレビ電話を行う前に鏡化された表示部５０を用いて自分の顔の状態や自分の身だしなみ等を確認することができる。
【００３６】
その後、テレビ電話の接続が完了したか否かが判定され（Ｂ３）、テレビ電話の接続が完了していなければ（Ｂ３，ＮＯ）、所定時間（本実施の形態では５秒）が経過したか否かが判定される（Ｂ４）。所定時間が経過していなければ（Ｂ４，ＮＯ）、Ｂ２から再実行されて、光反射パネル１２の鏡化状態が継続される。一方、所定時間が経過するか（Ｂ４，ＹＥＳ）、Ｂ３の処理においてテレビ電話の接続が完了すると（Ｂ３，ＹＥＳ）、光反射パネル１２が透過状態に設定され（Ｂ５）、Ｂ１から再実行される。
【００３７】
（本実施の形態の概要）
以上のように、本実施の形態の携帯電話機１００は、サブカメラ５とサブカメラ５が撮影した映像を表示する表示部５０とを備え、テレビ電話を行うことが可能な携帯電話機１００であって、表示部５０を鏡化可能な光反射パネル１２と、テレビ電話時に光反射パネル１２をオン／オフさせる切替スイッチ１７と、を備えた構成にされている。
【００３８】
上記の構成によると、テレビ電話時に使用者は、サブカメラ５が撮影した自分側の映像、例えば自分の顔を表示部５０で確認する一方、切替スイッチ１７を操作して光反射パネル１２をオンにし、鏡化した表示部５０に映った被写体、例えば自分の顔を確認して両者を比較することで、サブカメラ５が撮影した自分側の映像と実際の被写体とのギャップを認識することができる。これにより、テレビ電話時に通話相手に被写体が忠実に見えているかどうかを確認することができる。
【００３９】
また、本実施の形態の携帯電話機１００は、サブカメラ５とサブカメラ５が撮影した映像を表示する表示部５０とを備え、テレビ電話を行うことが可能な携帯電話機１００であって、表示部５０を鏡化可能な光反射パネル１２と、テレビ電話の接続が完了するまでの所定時間中に表示部５０を鏡化するように光反射パネル１２を制御する制御部１５と、を備えた構成にされている。
【００４０】
上記の構成によると、テレビ電話の接続が完了するまでの所定時間中に表示部５０が鏡化されるため、使用者はテレビ電話を行う前に鏡化された表示部５０を用いて被写体の状態、例えば自分の身だしなみ等を確認することができる。
【００４１】
（本実施の形態の変形例）
また、本発明を好適な実施の形態に基づいて説明したが、本発明はその趣旨を超えない範囲において変更が可能である。即ち、表示部５０を鏡化する鏡化手段として光反射パネル１２を用いた構成としたが、この構成に限定されるものではない。
【図面の簡単な説明】
【００４２】
【図１】本発明の実施の形態に係る携帯電話機の外観図であり、（ａ）は正面図、（ｂ）は背面図である。
【図２】本発明の実施の形態に係る携帯電話機の電気的構成を示すブロック図である。
【図３】光反射パネルの構造を示す説明図であり、（ａ）は透過状態における説明図、（ｂ）は鏡化状態における説明図である。
【図４】本発明の実施の形態に係る携帯電話機の表示部切替ルーチンを示すフローチャートである。
【図５】本発明の実施の形態に係る携帯電話機の呼び出し時鏡化ルーチンを示すフローチャートである。
【符号の説明】
【００４３】
５  サブカメラ
１２  光反射パネル
１５  制御部
１７  切替スイッチ
５０  表示部
１００  携帯電話機
【図１】
2007081592.tif 000003
【図２】
2007081592.tif 000004
【図３】
2007081592.tif 000005
【図４】
2007081592.tif 000006
【図５】
2007081592.tif 000007